(57)【要約】【課題】インターネット等の通信ネットワークを介して所定の情報サービスを提供するサイトにアクセスして必要な情報を取り出す処理を自動的に行ない、使用者が手間をかけずに容易に必要な情報を取得することができる通信端末装置を提供する。【解決手段】通信ネットワーク６に接続可能な通信手段２と、現在の日時の情報を保持する計時手段１６と、通信ネットワーク６上の１又は２以上のサイト３のアドレス３５、及びそれらの各サイト３へのアクセス予約の日時３６を含む情報が登録されるアクセス管理テーブル３３と、アクセス管理テーブル３３に登録された各サイト３についてのアクセス予約の日時３６と計時手段１６が保持する日時とが一致したときに、アクセス管理テーブル３３に登録されたアドレス３５に基づいて当該サイト３にアクセスし、そのサイト情報４を取得して記憶手段２８に格納する制御を行なう制御手段１７とを備える。【選択図】　　　図１
2004007102.tif 000002
【特許請求の範囲】
【請求項１】
通信ネットワークに接続可能な通信手段と、現在の日時の情報を保持する計時手段と、前記通信ネットワーク上の１又は２以上のサイトのアドレス、及びそれらの各サイトへのアクセス予約の日時を含む情報が登録されるアクセス管理テーブルと、このアクセス管理テーブルに登録された各サイトについてのアクセス予約の日時と前記計時手段が保持する日時とが一致したときに、前記アクセス管理テーブルに登録されたアドレスに基づいて当該サイトにアクセスし、そのサイト情報を取得して記憶手段に格納する制御を行なう制御手段とを備えることを特徴とする通信端末装置。
【請求項２】
前記アクセス管理テーブルに登録される各サイトへのアクセス予約の日時として、所定間隔の周期的な日時の指定が可能であることを特徴とする請求項１記載の通信端末装置。
【請求項３】
所定の情報を記録紙に記録する記録手段を備え、前記制御手段は、前記記憶手段に格納されたサイト情報を、予め設定された所定の記録方式に従って前記記録手段において記録紙に記録する制御を行なうことを特徴とする請求項１又は２記載の通信端末装置。
【発明の詳細な説明】
【０００１】
【発明の属する技術分野】
本発明は、インターネット等の通信ネットワーク上のサイトに接続する機能を備えたファクシミリ装置等の通信端末装置に関する。
【０００２】
【従来の技術】
ファクシミリ装置において、インターネットや公衆電話交換網（ＰＳＴＮ）等の通信ネットワークを介して所定の情報サービスを提供するサーバにアクセスし、当該サーバに蓄積されている情報を取り出して記録紙に記録し、あるいは液晶画面等に表示する機能を有するものが既に知られている。
【０００３】
このようなファクシミリ装置においては、使用者が、所定のサーバにより提供される情報に対応するインターネット上のＵＲＬ（Ｕｎｉｆｏｒｍ　Ｒｅｓｏｕｒｃｅ　Ｌｏｃａｔｏｒｓ）や公衆電話交換網（ＰＳＴＮ：Ｐｕｂｌｉｃ　Ｓｗｉｔｃｈｅｄ　Ｔｅｌｅｐｈｏｎｅ　Ｎｅｔｗｏｒｋ）上のダイヤル番号等を入力し、情報の取り出しを指示する操作を行なうことにより、ファクシミリ装置はそれらのＵＲＬやダイヤル番号に従ってそのサーバにアクセスし、そのサーバが提供する情報をダウンロードし、あるいはファクシミリ受信することにより必要な情報を取り出して一旦メモリに記憶する。そして、その取り出した情報を記録紙に記録し、あるいは液晶画面等に表示するという処理を行なう。
【０００４】
【発明が解決しようとする課題】
しかしながら、このような従来のファクシミリ装置においては、使用者は、複数の情報を得たい場合には、それぞれの情報に対応するインターネット上のＵＲＬや公衆電話交換網（ＰＳＴＮ）上のダイヤル番号等をその都度入力して情報の取り出しを指示する操作を繰り返し行なう必要があり、面倒であった。更に、例えば、ニュースや天気予報等のように定期的に更新される情報を、使用者が定期的に得たい場合等においては、それらの情報が更新される度に使用者が上記の操作を毎回行なう必要があり非常に面倒であった。
【０００５】
本発明は、上記課題に鑑みてなされたものであり、インターネット等の通信ネットワークを介して所定の情報サービスを提供するサーバのサイトにアクセスして必要な情報を取り出す処理を自動的に行ない、使用者が手間をかけずに容易に必要な情報を取得することができる通信端末装置を提供することを技術課題とするものである。
【０００６】
【課題を解決するための手段】
上記技術課題を解決するための具体的手段は、次のようなものである。すなわち、請求項１に記載する通信端末装置は、通信ネットワークに接続可能な通信手段と、現在の日時の情報を保持する計時手段と、前記通信ネットワーク上の１又は２以上のサイトのアドレス、及びそれらの各サイトへのアクセス予約の日時を含む情報が登録されるアクセス管理テーブルと、このアクセス管理テーブルに登録された各サイトについてのアクセス予約の日時と計時手段が保持する日時とが一致したときに、前記アクセス管理テーブルに登録されたアドレスに基づいて当該サイトにアクセスし、そのサイト情報を取得して記憶手段に格納する制御を行なう制御手段とを備えることを特徴とするものである。
【０００７】
請求項２に記載する通信端末装置は、請求項１に記載する構成において、前記アクセス管理テーブルに登録される各サイトへのアクセス予約の日時として、所定間隔の周期的な日時の指定が可能であることを特徴とするものである。
【０００８】
請求項３に記載する通信端末装置は、請求項１又は２に記載する構成において、所定の情報を記録紙に記録する記録手段を備え、前記制御手段は、前記記憶手段に格納されたサイト情報を、予め設定された所定の記録方式に従って前記記録手段において記録紙に記録する制御を行なうことを特徴とするものである。
【０００９】
【発明の実施の形態】
以下、本発明に係る通信端末装置１をファクシミリ装置に適用した場合の実施の形態について図面に基づいて説明する。図１は、本発明の実施形態に係る通信端末装置１の電気的構成を示すブロック図である。以下、この図に基づいて、本実施形態に係る通信端末装置１の構成について説明する。
【００１０】
通信部２は、ファクシミリ送受信や通信ネットワーク上のサイト３（図２参照）からのサイト情報４の取得のために、通信端末装置１を公衆電話交換網（ＰＳＴＮ：Ｐｕｂｌｉｃ　Ｓｗｉｔｃｈｅｄ　Ｔｅｌｅｐｈｏｎｅ　Ｎｅｔｗｏｒｋ）５に接続するための部分である。ここで、サイト３とは、通信ネットワーク上におけるサイト情報４が置かれている場所のことである。本実施形態においては、この通信ネットワークがインターネット６である場合を例として説明する。具体的には、図２に示すように、通信端末装置１は、通信部２を介して、公衆電話交換網（ＰＳＴＮ）５に接続し、他のファクシミリ装置７との間でのファクシミリ送受信、又はインターネット６上のサイト３からのサイト情報４（図１参照）の取得を行なう。
【００１１】
したがって、本実施形態においては、サイト３とは、インターネット６上においてＵＲＬ（Ｕｎｉｆｏｒｍ　Ｒｅｓｏｕｒｃｅ　Ｌｏｃａｔｏｒｓ）により特定されるサイト情報４の置き場所であり、通常は、インターネット６からアクセス可能なサーバの記憶装置内に構成される。また、サイト情報４とは、このようなサイト３に置かれている情報であって、一般にコンテンツと呼ばれているものである。このようなサイト情報４としては、例えば、ニュース、天気予報、株式情報、グルメ情報等の様々な情報が含まれる。なお、本発明に係る通信端末装置１がアクセスするサイト３が設けられる通信ネットワークは、インターネットに限定されるものではなく、ＬＡＮ（Ｌｏｃａｌ　Ａｒｅａ　Ｎｅｔｗｏｒｋ）や公衆電話交換網（ＰＳＴＮ）等の他の様々なネットワークも含まれる。
【００１２】
図１に示すように、本実施形態においては、通信部２は、網制御装置（ＮＣＵ）８と、モデム９とを有して構成されている。ここで、網制御装置（ＮＣＵ）８は、公衆電話交換網（ＰＳＴＮ）５に対する接続制御を行なう装置である。モデム９は、ファクシミリ送受信される画像データの変調及び復調、並びにインターネット６上のサイト３からのサイト情報４の取得の際のデータ通信のためにデジタル信号とアナログ信号との変調及び復調を行なう装置である。そして、図２に示すように、通信端末装置１はこの通信部２を介して公衆電話交換網（ＰＳＴＮ）５に接続し、他のファクシミリ装置７との間でファクシミリ送受信を行ない、あるいは、アクセスポイント１０にダイヤルアップ接続し、ゲートウェイ１１を介してインターネット６に接続して各サイト３からのサイト情報４の取得を行なう。そして、本実施形態では、この通信部２が本発明における通信手段を構成する。
【００１３】
また、インターネット６等の通信ネットワークに接続するための手段は、上記のような網制御装置（ＮＣＵ）８及びモデム９によるものに限定されるものではなく、この分野で公知の他の方法によることも可能である。したがって、例えば、図３に示すように、通信端末装置１が、ＬＡＮインターフェース１２を介してＬＡＮ１３に接続する機能を有している場合には、このＬＡＮインターフェース１２に接続されたＬＡＮ１３及びゲートウェイ１１を介してインターネット６に接続し、インターネット６上のサイト３からサイト情報４の取得を行なう場合もある。このような通信端末装置１としては、例えば、コピー、ファクシミリ、プリンタ、及びスキャナの複合機等のようにネットワーク機能を備えた装置がある。
【００１４】
図１に示すように、原稿読取部１４は、ファクシミリ送信する原稿の画像を走査して画像データとして読み取るための部分であって、図示しないフラットベッドスキャナ（ＦＢＳ：ＦｌａｔＢｅｄ　Ｓｃａｎｎｅｒ）や原稿自動供給装置（ＡＤＦ：Ａｕｔｏｍａｔｉｃ　Ｄｏｃｕｍｅｎｔ　Ｆｅｅｄｅｒ）等の読取機構を有して構成されている。なお、この原稿読取部１４の機構としては、ファクシミリ装置やスキャナ等の分野において公知の各種機構を用いることが可能である。記録部１５は、ファクシミリ受信した画像データの画像や、インターネット６上のサイト３（図２参照）から取得したサイト情報４の内容等を記録紙に記録するための部分である。ここで、記録部１５における記録方式としては、例えば、電子写真方式、感熱記録方式、あるいはインクジェット記録方式等のこの分野で公知の各種の記録方式を用いることができる。本実施形態では、この記録部１５が本発明における記録手段を構成する。
【００１５】
計時部１６は、現在の日時の情報を保持する部分であって、通信端末装置１の動作制御のために制御部１７に対して現在の日付及び時刻を出力する処理を行なう。具体的には、計時部１６は、一定のクロック信号に従って動作する時計回路を備えており、現在の日付及び時刻を常に更新しつつ保持する動作を行なっている。そして、制御部１７に対して現在の日付及び時刻の情報を一定の間隔で出力する処理を行なう。本実施形態では、この計時部１６が本発明における計時手段を構成する。
【００１６】
操作部１８は、使用者が通信端末装置１に対する動作指示や設定入力等を行なうための機構部分であって、ファクシミリ送信の実行命令やインターネット６上のサイト３（図２参照）からサイト情報４を取得する処理の実行命令等の指示を入力するためのスタートキー１９と、ダイヤル番号やサイト３のアドレス等の数字や文字を入力するための文字入力キー２０のほか、図示しないが、設定操作等を行なうためのファンクションキーや方向キー等の各種操作キーを有して構成されている。表示部２１は、通信端末装置１の設定状態や動作状態等を表示するための部分であって、ここでは、任意の文字や図形等を表示することができる液晶表示装置２２と、点灯及び消灯により通信端末装置１の状態を表示するＬＥＤランプ２３とを有して構成されている。そして、この液晶表示装置２２は、通信端末装置１の設定状態や動作状態等のほか、インターネット６上のサイト３から取得したサイト情報４の表示をも行う。
【００１７】
コーデック（ＣＯＤＥＣ：Ｃｏｄｅｒ　ａｎｄ　Ｄｅｃｏｄｅｒ）２４は、ファクシミリ送受信のために画像データの符号化及び復号を行なう回路である。ここで用いられる符号化の方式としては、例えば、ＭＭＲ（モディファイド・モディファイド・リード）方式、ＭＲ（モディファイド・リード）方式、あるいはＭＨ（モディファイド・ハフマン）方式等がある。画像メモリ２５は、ファクシミリ送受信のために画像データを一時的に格納するためのメモリであって、ファクシミリ受信した画像データや、原稿読取部１４において読み取られた画像データが格納される。
【００１８】
制御部１７は、通信端末装置１の全体の動作を制御する部分であって、ここでは、ＭＰＵ（Ｍｉｃｒｏｐｒｏｃｅｓｓｉｎｇ　Ｕｎｉｔ）２６と、ＲＯＭ（Ｒｅａｄ　Ｏｎｌｙ　Ｍｅｍｏｒｙ）２７と、ＲＡＭ（Ｒａｎｄｏｍ　Ａｃｃｅｓｓ　Ｍｅｍｏｒｙ）２８とを有して構成されている。本実施形態では、この制御部１７が本発明における制御手段を構成する。ここで、ＭＰＵ２６は、バス２９を介して通信端末装置１を構成する各部と接続されており、これらの各部の動作制御を行なう演算処理回路である。ＲＯＭ２７はＭＰＵ２６の動作処理に必要な各種の動作プログラム等を格納するメモリである。ここでは、ＲＯＭ２７に格納されている動作プログラムとしては、アクセス実行プログラム３０と、サイト情報変換プログラム３１と、サイト情報記録プログラム３２とが含まれている。ＲＡＭ２８は通信端末装置１の動作の実行に伴って取得された各種データや設定情報等を一時的に格納するメモリである。ここでは、ＲＡＭ２８に格納されるデータや設定情報等としては、後述するアクセス管理テーブル３３及び記録方式設定情報３４と、インターネット６上のサイト３から取得したサイト情報４とが含まれている。
【００１９】
本実施形態においては、アクセス管理テーブル３３は、図４に示すように、インターネット６上の１又は２以上のサイト３のアドレス３５、それらの各サイト３へのアクセス予約の日時３６、及び記録部数３７が登録されるテーブルである。ここで、サイト３のアドレス３５とは、インターネット６上における各サイト３の場所を表す符号であって、具体的には、ＵＲＬ等が該当する。また、アクセス予約の日時３６は、サイト３に対するアクセスを実行する日付と時刻とにより構成される情報であって、各サイト３のアドレス３５に対応して登録される。このアクセス予約の日時３６としては、１つの日時を指定して１度のみのアクセス予約とすることも可能であるが、例えば、１時間毎、１日毎、１週間毎、１ヶ月毎等のように所定間隔の周期的な日時を指定することも可能である。具体的には、図４に示すように、「２００２年６月２日　２０：００」等のように１度のみの指定とすることもできるし、「毎日　９：００」や「毎週月曜日　１２：００」等のように周期的な日時の指定とすることもできる。このように周期的な日時を指定すれば、ニュースや天気予報等のように定期的に更新されるサイト情報４を自動的に取得することが可能となる。
【００２０】
また、記録部数３７とは、各サイト３のサイト情報４を記録部１５において記録紙に記録する際の部数を指定するための情報であって、使用者は、０以上の整数を指定することが可能である。なお、ここで記録部数３７として０が指定された場合には、取得したサイト情報４の記録紙への記録は行なわれず、液晶表示装置２２による表示のみでサイト情報４を見ることとなる。
【００２１】
このアクセス管理テーブル３３へのサイト３のアドレス３５、アクセス予約の日時３６、及び記録部数３７の登録は、使用者が、表示部２１の液晶表示装置２２を参照しながら操作部１８の文字入力キー２０等を操作することにより行なう。具体的には、操作部１８の図示しないファンクションキー等を操作することにより液晶表示装置２２にアクセス管理テーブル３３の登録画面を表示し、その登録画面に従って操作部１８の文字入力キー２０等を操作することにより、サイト３のアドレス３５及びアクセス予約の日時３６を入力して登録する。ここで、アクセス予約の日時３６についての周期的な日時の指定に際しては、アクセス管理テーブル３３の登録画面に、指定可能な日時の周期を選択可能に表示し、使用者がそれらの表示された日時の周期の１つを選択することにより指定を行い得るようにすると好適である。
【００２２】
ＲＯＭ２７に格納されているアクセス実行プログラム３０は、アクセス管理テーブル３３に登録された各サイト３についてのアクセス予約の日時３６と計時部１６が保持する現在の日時とが一致したときに、アクセス管理テーブル３３に登録されたアドレス３５に基づいて当該サイト３にアクセスし、そのサイト情報４を取得してＲＡＭ２８に格納する制御をＭＰＵ２６に実行させるプログラムである。本実施形態では、ＲＡＭ２８が本発明における記憶手段を構成する。したがって、取得されたサイト情報４は、このＲＡＭ２８に格納される。このアクセス実行プログラム３０に従って行なわれる通信端末装置１の動作制御については、後にフローチャートを用いて詳細に説明する。
【００２３】
インターネット６上のサイト３に置かれているサイト情報４は、通常、ＨＴＭＬ（Ｈｙｐｅｒｔｅｘｔ　Ｍａｒｋｕｐ　Ｌａｎｇｕａｇｅ）形式のテキストデータ等のように特定の形式のデータにより構成されている。したがって、通信端末装置１において取得したサイト情報４を、使用者が見るための表示形式に変換することが必要となる。サイト情報変換プログラム３１は、このようなインターネット６上のサイト３から取得したサイト情報４を使用者が見るための表示形式に変換する処理をＭＰＵ２６に実行させるプログラムである。したがって、本実施形態においては、サイト情報変換プログラム３１は、ＷＷＷブラウザと同様の機能を有するプログラムである。
【００２４】
サイト情報記録プログラム３２は、ＲＡＭ２８に格納されたサイト情報４を、所定の記録方式に従って記録部１５において記録紙に記録する制御をＭＰＵ２６に実行させるプログラムである。ここで、サイト情報４を記録紙に記録する際の記録方式としては、使用者により予め設定された記録方式が用いられる。この記録方式として設定される具体的な内容としては、例えば、記録紙の片面のみに１個のサイト情報４を配置する方式のほか、記録紙の両面にそれぞれサイト情報４を配置する方式や、記録紙の紙面をＭ分割してＭ個のサイト情報４を配置する方式等がある。ここで、Ｍは２以上の任意の整数であって、使用者が設定することができる。本実施形態においては、この記録方式として、記録紙の片面のみに配置する方式と両面に配置する方式の選択、並びに、記録紙の紙面を分割せずに配置する方式と分割して配置する方式の選択、及び分割して配置する場合における分割数Ｍについて設定できることとする。
【００２５】
このサイト情報４を記録紙に記録する際の記録方式は、使用者が、表示部２１の液晶表示装置２２を参照しながら操作部１８の文字入力キー２０等を操作することにより行なう。具体的には、操作部１８の図示しないファンクションキー等を操作することにより液晶表示装置２２に記録方式の設定画面を表示し、その設定画面に従って操作部１８の文字入力キー２０等を操作することにより、サイト情報４を記録紙に記録する際の記録方式を選択し、あるいは入力して設定する。そして、使用者により設定されたこれらの記録方式は、記録方式設定情報３４として、ＲＡＭ２８に格納される。このサイト情報記録プログラム３２に従って行なわれる通信端末装置１の動作制御については、アクセス実行プログラム３０に従って行なわれる通信端末装置１の動作制御とともに、以下にフローチャートを用いて詳細に説明する。
【００２６】
次に、本発明の実施形態に係る通信端末装置１により、インターネット６上のサイト３にアクセスし、サイト情報４を取得して記録部において記録紙に記録する際の動作処理について、図５から図７に示すフローチャートに基づいて説明する。なお、これらの図において、丸で囲まれた「Ａ」及び「Ｂ」の記号は、それぞれの図における同じ記号と連続するものとする。また、このフローチャートに示す通信端末装置１の各部の動作は、ＲＯＭ２７に格納されているアクセス実行プログラム３０及びサイト情報記録プログラムに従って動作するＭＰＵ２６の制御の下に行なわれる。
【００２７】
まず、アクセス管理テーブル３３に登録された各サイト３についてのアクセス予約の日時３６と計時部１６が保持する現在の日時とが一致するか否かについて判断する（Ｓ１）。この判断は、制御部１７のＭＰＵ２６において、計時部１６から出力される現在の日付及び時刻の情報を、アクセス管理テーブル３３に登録されたすべてのサイト３についてのアクセス予約の日時３６に対比させつつ一定間隔で継続的に監視することにより行なう。各サイト３についてのアクセス予約の日時３６と現在の日時とが一致しない場合には（Ｓ１：ＮＯ）、その監視状態のままで待機する。
【００２８】
一方、各サイト３の中の１以上のサイト３についてのアクセス予約の日時３６と現在の日時とが一致した場合には（Ｓ１：ＹＥＳ）、当該アクセス予約の日時３６と現在の日時とが一致した各サイト３にアクセスし、それらのサイト情報４を取得する処理を行なう。ここでは、このようなアクセス予約の日時３６と現在の日時とが一致したサイト３がＮ個である場合（Ｎは自然数）について説明する。そこで、まず、このようなアクセス予約の日時３６と現在の日時とが一致したＮ個のサイト３の中の１のサイト３に対して、アクセス管理テーブル３３に登録されたアドレス３５に基づいてアクセスする（Ｓ２）。この際、Ｎ個のサイト３についてのアクセスの順序は任意の順序とすることが可能であるが、通常は、アクセス管理テーブル３３に登録された順序で行なうこととする。
【００２９】
そして、アクセスしたサイト３からサイト情報４を取得してＲＡＭ２８に格納する（Ｓ３）。この際、サイト３からのサイト情報４の取得は、サイト情報４を構成するデータをダウンロードすることにより行なう。その後、アクセス予約の日時３６と現在の日時とが一致したＮ個のサイト３のすべてについてのサイト情報４を取得したか否かについて判断する（Ｓ４）。アクセス予約の日時３６と現在の日時とが一致したＮ個のサイト３のすべてについてのサイト情報４を取得していない場合には（Ｓ４：ＮＯ）、処理はＳ２へ戻り、まだアクセスしていない次のサイト３にアクセスしてサイト情報４を取得する処理を更に行なう。したがって、アクセス予約の日時３６と現在の日時とが一致したサイト３の数、すなわちＮが２以上である場合には、Ｓ２及びＳ３の処理は２回以上繰り返して行なわれることとなる。
【００３０】
そして、アクセス予約の日時３６と現在の日時とが一致したＮ個のサイト３のすべてについてのサイト情報４を取得した場合には（Ｓ４：ＹＥＳ）、次に、取得されたサイト情報４を、設定された記録方式に従って記録部１５において記録紙に記録する処理を行なう。そのため、まず、サイト情報４を記録紙の両面に記録する設定であるか否かについて判断する（Ｓ５）。この判断は、ＭＰＵ２６によりＲＡＭ２８に格納された記録方式設定情報３４を参照することにより行なう。サイト情報４を記録紙の両面に記録する設定である場合には（Ｓ５：ＹＥＳ）、次に、記録紙の紙面を分割する設定であるか否かについて判断する（Ｓ６）。この判断も、ＭＰＵ２６によりＲＡＭ２８に格納された記録方式設定情報３４を参照することにより行なう。
【００３１】
そして、記録紙の紙面を分割する設定である場合には（Ｓ６：ＹＥＳ）、記録方式設定情報３４を参照して記録紙の紙面を分割する際の分割数Ｍの情報を取得し、その分割数Ｍの情報に基づいて記録紙の両面をそれぞれＭ分割し、各面につきＭ個ずつ合計２Ｍ個のサイト情報４を配置して記録部１５において記録紙に記録する（Ｓ７）。この際、処理Ｓ３で取得されてＲＡＭ２８に格納されているサイト情報４の数が２Ｍ個に満たない場合には、余りの部分は空白とする。その後、指定された記録部数３７の記録が終了したか否かについて判断する（Ｓ８）。この判断は、アクセス管理テーブル３３に登録された各サイト３についての記録部数３７の情報に基づいて行なう。指定された記録部数３７の記録が終了していない場合には（Ｓ８：ＮＯ）、指定された記録部数３７の記録が終了するまでＳ７の処理を繰り返し行なう。そして、指定された記録部数３７の記録が終了した場合には（Ｓ８：ＹＥＳ）、処理は終了する。
【００３２】
一方、記録紙の紙面を分割する設定でない場合には（Ｓ６：ＮＯ）、記録紙の両面にそれぞれ１個ずつ合計２個のサイト情報４を配置して記録部１５において記録紙に記録する（Ｓ９）。この際、処理Ｓ３で取得されてＲＡＭ２８に格納されているサイト情報４の数が１個である場合には、片面は空白とする。その後、指定された記録部数３７の記録が終了したか否かについて判断する（Ｓ１０）。この判断は、アクセス管理テーブル３３に登録された各サイト３についての記録部数３７の情報に基づいて行なう。指定された記録部数３７の記録が終了していない場合には（Ｓ１０：ＮＯ）、指定された記録部数３７の記録が終了するまでＳ９の処理を繰り返し行なう。そして、指定された記録部数３７の記録が終了した場合には（Ｓ１０：ＹＥＳ）、処理は終了する。
【００３３】
また、処理Ｓ５の判断において、サイト情報４を記録紙の両面に記録する設定でない場合には（Ｓ５：ＮＯ）、次に、記録紙の紙面を分割する設定であるか否かについて判断する（Ｓ１１）。この判断は、処理Ｓ６と同様であって、ＭＰＵ２６によりＲＡＭ２８に格納された記録方式設定情報３４を参照することにより行なう。そして、記録紙の紙面を分割する設定である場合には（Ｓ１１：ＹＥＳ）、記録方式設定情報３４を参照して記録紙の紙面を分割する際の分割数Ｍの情報を取得し、その分割数Ｍの情報に基づいて記録紙の片面をＭ分割し、Ｍ個のサイト情報４を配置して記録部１５において記録紙に記録する（Ｓ１２）。この際、処理Ｓ３で取得されてＲＡＭ２８に格納されているサイト情報４の数がＭ個に満たない場合には、余りの部分は空白とする。その後、指定された記録部数３７の記録が終了したか否かについて判断する（Ｓ１３）。この判断は、アクセス管理テーブル３３に登録された各サイト３についての記録部数３７の情報に基づいて行なう。指定された記録部数３７の記録が終了していない場合には（Ｓ１３：ＮＯ）、指定された記録部数３７の記録が終了するまでＳ１２の処理を繰り返し行なう。そして、指定された記録部数３７の記録が終了した場合には（Ｓ１３：ＹＥＳ）、処理は終了する。
【００３４】
一方、記録紙の紙面を分割する設定でない場合には（Ｓ１１：ＮＯ）、記録紙の片面に１個のサイト情報４を配置して記録部１５において記録紙に記録する（Ｓ１４）。その後、指定された記録部数３７の記録が終了したか否かについて判断する（Ｓ１５）。この判断は、アクセス管理テーブル３３に登録された各サイト３についての記録部数３７の情報に基づいて行なう。指定された記録部数３７の記録が終了していない場合には（Ｓ１５：ＮＯ）、指定された記録部数３７の記録が終了するまでＳ１４の処理を繰り返し行なう。そして、指定された記録部数３７の記録が終了した場合には（Ｓ１５：ＹＥＳ）、処理は終了する。
【００３５】
【発明の効果】
以上説明したように、本発明の請求項１に係る通信端末装置によれば、通信ネットワーク上の１又は２以上のサイトのアドレス、及びそれらの各サイトへのアクセス予約の日時を含む情報をアクセス管理テーブルに登録し、各サイトについてのアクセス予約の日時と計時部が保持する現在の日時とが一致したときに、アクセス管理テーブルに登録されたアドレスに基づいて当該サイトにアクセスし、そのサイト情報を取得して記憶手段に格納する制御を行なうことにより、インターネット等の通信ネットワークを介して所定の情報サービスを提供するサイトにアクセスして必要なサイト情報を取り出す処理を自動的に行なうことができるので、使用者が手間をかけずに容易に必要な情報を取得することができる。
【００３６】
本発明の請求項２に係る通信端末装置によれば、上述の効果に加えて、前記アクセス管理テーブルに登録される各サイトへのアクセス予約の日時として、所定間隔の周期的な日時を指定することが可能であることにより、ニュースや天気予報等のように定期的に更新されるサイトのサイト情報を自動的に取得することができ、使用者がそれらの必要な情報を取得するための手間をより一層簡略化することができる。
【００３７】
本発明の請求項３に係る通信端末装置によれば、上述の効果に加えて、記憶手段に格納されたサイト情報を、予め設定された所定の記録方式に従って記録紙に記録する制御を行なうことにより、記録紙を効率的に使用するとともに、使用者に見易い形式でサイト情報を記録することが可能となる。
【図面の簡単な説明】
【図１】本発明の実施形態に係る通信端末装置の電気的構成を示すブロック図である。
【図２】本発明の実施形態に係る通信端末装置のインターネットとの接続状態を示す説明図である。
【図３】本発明の実施形態に係る通信端末装置をＬＡＮを介してインターネットに接続した場合の接続状態を示す説明図である。
【図４】本発明の実施形態に係る通信端末装置のアクセス管理テーブルの内容の具体例を示す図である。
【図５】本発明の実施形態に係る通信端末装置により、インターネット上のサイトにアクセスし、サイト情報を取得して記録部において記録紙に記録する際の動作処理を示すフローチャートの一部である。
【図６】本発明の実施形態に係る通信端末装置により、インターネット上のサイトにアクセスし、サイト情報を取得して記録部において記録紙に記録する際の動作処理を示すフローチャートの一部である。
【図７】本発明の実施形態に係る通信端末装置により、インターネット上のサイトにアクセスし、サイト情報を取得して記録部において記録紙に記録する際の動作処理を示すフローチャートの一部である。
【符号の説明】
１　通信端末装置
２　通信部
３　サイト
４　サイト情報
５　公衆電話交換網（ＰＳＴＮ）
６　インターネット
１５　記録部
１６　計時部
１７　制御部
１８　操作部
２１　表示部
２２　液晶表示装置
２６　ＭＰＵ
２７　ＲＯＭ
２８　ＲＡＭ
３０　アクセス実行プログラム
３１　サイト情報変換プログラム
３２　サイト情報記録プログラム
３３　アクセス管理テーブル
３４　記録方式設定情報
３５　サイトのアドレス
３６　サイトへのアクセス予約の日時
３７　記録部数
【図１】
2004007102.tif 000003
【図２】
2004007102.tif 000004
【図３】
2004007102.tif 000005
【図４】
2004007102.tif 000006
【図５】
2004007102.tif 000007
【図６】
2004007102.tif 000008
【図７】
2004007102.tif 000009